(57)【特許請求の範囲】
【請求項１】
円盤状の回転切断刃を備えた硬質物切断用回転カッターにより硬質物に平面視直線状の溝を形成し、該溝に連結具の一端を挿嵌し、該連結具の他端を支持体等の物に固定するようにした硬質物の固定方法において、
前記連結具の前記一端は、前記溝からの抜け止め手段として、波板部を備え、該波板部における波高さｈは該溝の幅ｗよりも大きいことを特徴とする硬質物の固定方法。
【請求項２】
前記溝を該溝の底面が略円弧状になるように形成し、前記連結具の前記一端は該溝に対応する略円弧状の端縁を有することを特徴とする請求項１に記載の固定方法。
【発明の詳細な説明】
【技術分野】
【０００１】
本発明は、硬質物の固定方法に関するものであり、更に詳しくは、自然石、コンクリート、ガラス、陶磁器等の硬質物を支持体等の物に固定するための硬質物の固定方法に係るものである。
【背景技術】
【０００２】
自然石をマットに固定する方法としては、図１１に示すように、ドリル（図示せず。）を用いて自然石１に略円筒状の孔３を穿設し、該孔３にアンカー５の一端５ａを挿嵌し、該アンカー５の他端５ｂをマット７に取り付けることにより、自然石１をマット７に固定するようにした方法（以下「従来の自然石の固定方法」という。）が従来より知られている。図１１における符号９に示すものは取付具である。
【０００３】
従来の自然石の固定方法は、例えば特開２０００−２２６８３３号公報により開示されている。
【先行技術文献】
【特許文献】
【０００４】
【特許文献１】特開２０００−２２６８３３号公報
【発明の概要】
【発明が解決しようとする課題】
【０００５】
しかるに、上記従来の自然石の固定方法においては、ドリルを用いて硬い自然石に略円筒状の孔を穿設するようにしているため、ドリルのビットが極めて損傷し易く、同一のビットを用いて多数の自然石を穿孔することができない。すなわち、自然石を穿孔する作業においては、ビットを頻繁に交換しなければならないのである。したがって、上記従来の自然石の固定方法においては、自然石を穿孔する作業に要する費用が嵩むという問題がある。
【０００６】
更に、ガラス、陶磁器等の硬質物の場合には、ドリルにより穿孔すると該硬質物が割れるおそれが大きい。また、自然石についても、ドリルにより穿孔するとき又は形成した孔にアンカーを打ち込むときに、割れるおそれがある。
【０００７】
本発明は、上記従来の自然石の固定方法における上述の問題を解決し、少ない費用で、かつ、硬質物に割れを生じさせることなく、該硬質物を支持体等の物に固定することができるようにした硬質物の固定方法を提供しようとしてなされたものである。
【課題を解決するための手段】
【０００８】
上記課題を解決するために、本発明は、下記の如き硬質物の固定方法を提供する。
【０００９】
（１）円盤状の回転切断刃を備えた硬質物切断用回転カッターにより硬質物に平面視直線状の溝を形成し、該溝に連結具の一端を挿嵌し、該連結具の他端を支持体等の物に固定するようにした硬質物の固定方法において、
前記連結具の前記一端は、前記溝からの抜け止め手段として、波板部を備え、該波板部における波高さｈは該溝の幅ｗよりも大きいことを特徴とする硬質物の固定方法（請求項１）。
【００１０】
（２）前記溝を該溝の底面が略円弧状になるように形成し、前記連結具の前記一端は該溝に対応する略円弧状の端縁を有する（請求項２）。
【発明の効果】
【００１１】
［請求項１の発明］
硬質物に溝を形成するために使用される円盤状の回転切断刃を備えた硬質物切断用回転カッターは、上記従来の自然石の固定方法において使用されるドリルに比べて、遥かに長持ちする。すなわち、硬質物切断用回転カッターは、回転切断刃を交換することなく、極めて多数の硬質物に連続的に使用することができる。したがって、硬質物に溝を形成するために要する費用を大幅に削減することができる。
【００１２】
硬質物をドリルにより穿孔する場合と異なり、硬質物に硬質物切断用回転カッターにより平面視直線状の溝を形成するようにしたため、該硬質物が割れるおそれはない。
【００１３】
連結具の一端は、硬質物に形成された略円筒状の孔に挿嵌するのではなく、硬質物に形成された溝に挿嵌するようにしたため、連結具としては、棒状のアンカーに限らず、該溝に適した板状等の種々の形状のものを使用することができる。
【００１４】
連結具の他端は、支持体等の物に対し、種々の手段により固定することができる。
【００１５】
連結具の一端は、前記溝からの抜け止め手段として、波板部を備え、該波板部における波高さｈは該溝の幅ｗよりも大きいため、連結具の一端における波板部を溝内に打ち込み又は押し込んだときには、該波板部は該溝内に強力にロックされ、該溝内から抜け出るおそれはない。
【００１６】
［請求項２の発明］
硬質物には溝を該溝の底面が略円弧状になるように形成し、連結具の一端は該溝に対応する略円弧状の端縁を有するため、連結具の当該一端は硬質物の溝に確実に挿嵌される。
【図面の簡単な説明】
【００１７】
【図１】図１は、硬質物としての自然石に硬質物切断用回転カッターにより溝を形成した状態を示す断面図である。
【図２】図２は、硬質物としての自然石に形成された平面視直線状の溝を示す平面図である。
【図３】図３は、連結具の使用状態の一例を示す断面図である。
【図４】図４は、連結具の使用状態の別の一例を示す断面図である。
【図５】図５は、連結具の一例を示す斜視図である。
【図６】図６は、連結具の別の一例を示す斜視図である。
【図７】図７は、図６のＡ−Ａ’断面図の一例を示す。
【図８】図８は、図６のＡ−Ａ’断面図の別の一例を示す。
【図９】図９は、図６のＢ−Ｂ’断面図の一例を示す。
【図１０】図１０は、硬質物を柱のベースプレートに固定した事例を示す正面図である。
【図１１】図１１は、従来の自然石の固定方法を示す断面図である。
【発明を実施するための形態】
【００１８】
本発明による硬質物の固定方法においては、まず、硬質物切断用回転カッター１１により硬質物１３に平面視直線状の溝１５を形成する。
【００１９】
硬質物切断用回転カッター１１は、電気モータ等の駆動手段により回転する円盤状の回転切断刃１７を備えている。該回転切断刃１７は、例えば、円盤状の基板１９の外周に切削用の砥粒を含む金属若しくは合成樹脂よりなる砥粒結合層２１又はダイヤモンド層２１を有する。
【００２０】
硬質物切断用回転カッター１１により硬質物１３に形成した溝１５に連結具２３の一端２３ａを挿嵌し、該連結具２３の他端２３ｂを支持体等の物２５に固定する。
【００２１】
図３に示す事例においては、連結具２３の他端２３ｂを支持体等の物２５に固定するために、該連結具２３の他端２３ｂを物２５に貫通させると共に該物２５を貫通した他端２３ｂを折曲させて該物２５上に当接させている。
【００２２】
図４に示す事例においては、連結具２３の他端２３ｂに雄ねじ２７を備えさせている。すなわち、雄ねじ２７を備えた連結具２３の他端２３ｂを物２５に貫通させると共に該雄ねじ２７にナット２９を螺合させる。
【００２３】
溝１５は、好ましくは、図１に示すように、該溝１５の底面１５ａが略円弧状になるように形成し、連結具２３の前記一端２３ａは該溝１５に対応する略円弧状の端縁３１を有する。図５、図６参照。
【００２４】
図５に示す事例においては、連結具２３の他端２３ｂは一つの細長板状部により形成されている。図６に示す事例においては、連結具２３の他端２３ｂは二つの細長板状部により形成されている。
【００２５】
図７に示す事例においては、連結具２３の前記一端２３ａには、前記溝１５からの抜け止め手段として、凹部３３を形成している。
【００２６】
図８に示す事例においては、連結具２３の前記一端２３ａには、前記溝１５からの抜け止め手段として、凸部３５を形成している。
【００２７】
図９に示す事例においては、連結具２３の前記一端２３ａは、前記溝１５からの抜け止め手段として、波板部３７を備え、該波板部３７における波高さｈは該溝１５の幅ｗよりも大きい。
【００２８】
なお、連結具２３の前記一端２３ａを硬質物１３に形成した溝１５に挿嵌する際に、該溝１５内に接着剤を注入してもよい。
【００２９】
図１０に示す事例においては、自然石、コンクリート等の硬質物１３を連結具２３により柱３９のベースプレート４１に固定している。
【符号の説明】
【００３０】
１  自然石
３  孔
５  アンカー
５ａ  一端
５ｂ  他端
７  マット
９  取付具
１１  硬質物切断用回転カッター
１３  硬質物
１５  溝
１５ａ  底面
１７  回転切断刃
１９  基板
２１  砥粒結合層又はダイヤモンド層
２３  連結具
２３ａ  一端
２３ｂ  他端
２５  支持体等の物
２７  雄ねじ
２９  ナット
３１  端縁
３３  凹部
３５  凸部
３７  波板部
ｈ  波高さ
ｗ  溝幅
３９  柱
４１  ベースプレート
【図１】
0005551015.tif 000002
【図２】
0005551015.tif 000003
【図３】
0005551015.tif 000004
【図４】
0005551015.tif 000005
【図５】
0005551015.tif 000006
【図６】
0005551015.tif 000007
【図７】
0005551015.tif 000008
【図８】
0005551015.tif 000009
【図９】
0005551015.tif 000010
【図１０】
0005551015.tif 000011
【図１１】
0005551015.tif 000012